(57)【要約】【課題】  特定の関係にあるユーザーのサービスへのアクセス権を設定する方法およびシステムを提供する。【解決手段】  特定の関係にあるユーザーのサービスへのアクセス権を設定する方法およびシステムにおいて、複数の異なるサービスを提供する機器を提供し、特定の関係にあるユーザーがアクセスして利用するための異なるサービスを提供する。異なる認証でアクセスできるサービスを記録するためのデフォルト・テンプレートも提供する。ユーザーの特定の関係をデフォルト・テンプレートと比較することにより、異なるサービスに対する各ユーザーのアクセス権の推奨値を生成する。【選択図】      図１
2006163697.tif 000002
【特許請求の範囲】
【請求項１】
特定の関係にあるユーザーのサービスへのアクセス権を設定する方法であって、
（ａ）複数の異なるサービスを提供するための機器を提供するステップであって、ここで特定の関係にある複数のユーザーがアクセスして利用すべく前記異なるサービスが提供されるステップと、
（ｂ）異なる属性でアクセスできるサービスを記録するためのデフォルト・テンプレートを提供するステップと、
（ｃ）前記ユーザーの特定の関係を前記デフォルト・テンプレートと比較して、前記異なるサービスに対する各ユーザーのアクセス権の推奨値を生成するステップと、
を含む方法。
【請求項２】
前記デフォルト・テンプレートが前記機器に埋め込まれている、請求項１に記載の特定の関係にあるユーザーのサービスへのアクセス権を設定する方法。
【請求項３】
前記デフォルト・テンプレートがサーバーにより提供される、請求項１に記載の特定の関係にあるユーザーのサービスへのアクセス権を設定する方法。
【請求項４】
前記デフォルト・テンプレートが前記機器の機器製造業者により提供される、請求項１に記載の特定の関係にあるユーザーのサービスへのアクセス権を設定する方法。
【請求項５】
前記推奨値に従い前記異なるサービスに対する各ユーザーのアクセス権を設定するステップを更に含む、請求項１に記載の特定の関係にあるユーザーのサービスへのアクセス権を設定する方法。
【請求項６】
前記異なるサービスに対する各ユーザーの実際のアクセス権要件に従い前記推奨値を調整するステップを更に含む、請求項１に記載の特定の関係にあるユーザーのサービスへのアクセス権を設定する方法。
【請求項７】
前記異なるサービスに対する各ユーザーのアクセス権を設定するステップが、前記サービスにユーザーがアクセスできるようネットワーク機器を設定するステップを含む、請求項５に記載の特定の関係にあるユーザーのサービスへのアクセス権を設定する方法。
【請求項８】
前記ネットワーク機器を設定するステップが、前記ネットワーク機器に承認を発行するステップを含む、請求項７に記載の特定の関係にあるユーザーのサービスへのアクセス権を設定する方法。
【請求項９】
前記異なるサービスに対する各ユーザーのアクセス権を設定するステップが、前記サービスにユーザーがアクセスできるようモバイル機器を設定するステップを含む、請求項５に記載の特定の関係にあるユーザーのサービスへのアクセス権を設定する方法。
【請求項１０】
前記モバイル機器を設定するステップが前記モバイル機器に承認を発行するステップを含む、請求項９に記載の特定の関係にあるユーザーのサービスへのアクセス権を設定する方法。
【請求項１１】
前記デフォルト・テンプレートがＸＭＬフォーマットである、請求項１に記載の特定の関係にあるユーザーのサービスへのアクセス権を設定する方法。
【請求項１２】
特定の関係にあるユーザーのサービスへのアクセス権を設定するシステムにおいて、
複数の異なるサービスを提供するための機器であって、ここで特定の関係にある複数のユーザーがアクセスして利用すべく前記異なるサービスが提供される機器と、
前記特定の関係を記録するための特定関係記録ユニットと、
異なる属性でアクセスできるサービスを記録するためのデフォルト・テンプレートと、
前記特定の関係を前記デフォルト・テンプレートと比較するための比較ユニットと、
前記特定の関係と前記デフォルト・テンプレートとの比較結果に基づいて、前記異なるサービスに対する各ユーザーのアクセス権の推奨値を生成するための推奨値生成ユニットと、
を含むシステム。
【請求項１３】
前記デフォルト・テンプレートが前記機器に埋め込まれている、請求項１２に記載の特定の関係にあるユーザーのサービスへのアクセス権を設定するシステム。
【請求項１４】
前記デフォルト・テンプレートが前記機器の機器製造業者により提供される、請求項１２に記載の特定の関係にあるユーザーのサービスへのアクセス権を設定するシステム。
【請求項１５】
前記デフォルト・テンプレートを提供するサーバーを更に含む、請求項１２に記載の特定の関係にあるユーザーのサービスへのアクセス権を設定するシステム。
【請求項１６】
サーバーを更に含み、前記特定関係記録ユニット、前記比較ユニット、および前記推奨値生成ユニットが前記サーバー内に配置されている、請求項１２に記載の特定の関係にあるユーザーのサービスへのアクセス権を設定するシステム。
【請求項１７】
前記特定関係記録ユニット、前記比較ユニット、および前記推奨値生成ユニットが前記機器内に配置されている、請求項１２に記載の特定の関係にあるユーザーのサービスへのアクセス権を設定するシステム。
【請求項１８】
前記異なるサービスに対する各ユーザーの実際のアクセス権要件に従い、前記推奨値を調整するための推奨値調整ユニットを更に含む、請求項１２に記載の特定の関係にあるユーザーのサービスへのアクセス権を設定するシステム。
【請求項１９】
前記推奨値に従い、前記異なるサービスに対する各ユーザーのアクセス権を設定するためのアクセス権設定ユニットを更に含む、請求項１２に記載の特定の関係にあるユーザーのサービスへのアクセス権を設定するシステム。
【請求項２０】
前記サービスにユーザーがアクセスできるようネットワーク機器を更に含み、前記アクセス権設定ユニットが、前記異なるサービスに対するユーザーのアクセス権に従い前記ネットワーク機器を設定する、請求項１９に記載の特定の関係にあるユーザーのサービスへのアクセス権を設定するシステム。
【請求項２１】
前記アクセス権設定ユニットが前記ネットワーク機器に承認を発行することにより前記ネットワーク機器を設定する、請求項２０に記載の特定の関係にあるユーザーのサービスへのアクセス権を設定するシステム。
【請求項２２】
前記サービスにユーザーがアクセスできるようモバイル機器を更に含み、前記アクセス権設定ユニットが、前記異なるサービスに対するユーザーのアクセス権に従い前記モバイル機器を設定する、請求項１９に記載の特定の関係にあるユーザーのサービスへのアクセス権を設定するシステム。
【請求項２３】
前記アクセス権設定ユニットが、前記モバイル機器に対し承認を発行することにより前記モバイル機器を設定する、請求項２２に記載の特定の関係にあるユーザーのサービスへのアクセス権を設定するシステム。
【請求項２４】
前記デフォルト・テンプレートがＸＭＬフォーマットである、請求項１２に記載の特定の関係にあるユーザーのサービスへのアクセス権を設定するシステム。
【発明の詳細な説明】
【技術分野】
【０００１】
本発明は、サービスへのアクセス権を設定する方法、より具体的には特定の関係にあるユーザーのサービスへのアクセス権を設定する方法に関する。
【背景技術】
【０００２】
アクセス制御の目的は、情報へのアクセスを許されたユーザー以外はリソースの利用を一切承認されないようにすることである。一般に、サービスに対するユーザーのアクセス権を設定する作業は管理者により実施される。今日まで、ユーザーが関心を示すサービスの数が増大しているため、サービスを利用できるユーザーの権限を設定するために管理者がより多くの時間と労力を費やすことが必要になっている。従って、設定作業における管理者の負担を減らすべく、ユーザー・アクセス権を設定するためのより簡単な方法が求められている。
【０００３】
特許文献１に、コンピュータシステムのユーザー向けにサービスパラメータを自動的に設定する方法が開示されている。前記特許は複数の異なるユーザー・テンプレートの利用を開示しており、その一つが特定のタイプのユーザーが使用できるサービスのデフォルト設定を含む。システムに新規ユーザーが追加されるたびに、特定のユーザー・テンプレートを選択する必要があり、選択されたユーザー・テンプレートからのデフォルト設定が新規ユーザーのフォームへコピーされ、サービス同士で矛盾するデフォルト設定はすべて上書きされる。次いで、新規ユーザー用の最終設定が集中アカウントデータベースへコピーされる。このように、新規ユーザーがその後コンピュータシステムにログインした場合、当該新規ユーザーは自動的に、自分用に設定された利用可能サービスの使用が許される。
【特許文献１】米国特許第６,０６７,５６８号明細書
【発明の開示】
【発明が解決しようとする課題】
【０００４】
しかし、上述の米国特許に開示された方法は、ユーザー（家族）が互いに特定の関係にあって、機器（またはサービス）を切り離したり再び接続することが時折必要な環境（例えば家庭内ネットワーク）における権限の設定を行なうために用いた場合、ユーザーのサービスパラメータ設定に際してオーバーヘッドが生じ得る。これは、上述の米国特許の方法にはユーザーに関する関係情報が含まれていないためであり、機器／サービス情報の動的な更新を行なうことができない。
【課題を解決するための手段】
【０００５】
従って、本発明の主な目的は、特定の関係にあるユーザーのサービスへのアクセス権を設定する方法を提供することであり、ユーザーが特定の関係にあって機器（またはサービス）を切り離したり再び接続することが時折必要な環境（例えば家庭内ネットワーク）における権限設定ステップを減らすことができる。
【０００６】
従って、本発明による、特定の関係にあるユーザーのサービスへのアクセス権を設定する方法は、複数の異なるサービスを提供する機器を提供するステップであって、特定の関係にあるユーザーがアクセスして利用すべく当該異なるサービスが提供されるステップと、異なる属性でアクセスできるサービスを記録するデフォルト・テンプレートを提供するステップと、当該ユーザーの特定の関係をデフォルト・テンプレートと比較することにより、異なるサービスに対する各ユーザーのアクセス権の推奨値を生成するステップと、を含む。
【０００７】
本発明の別の目的は、特定の関係にあるユーザーのサービスへのアクセス権を設定するシステムを提供することであり、これを用いてユーザーが特定の関係にあって機器（またはサービス）を切り離したり再び接続することが時折必要な環境（例えば家庭内ネットワーク）における権限設定ステップを減らすことができる。
【０００８】
従って、特定の関係にあるユーザーのサービスへのアクセス権を設定する本発明のシステムは、機器、特定関係記録ユニット、デフォルト・テンプレート、比較ユニット、および推奨値生成ユニットを含む。当該機器は複数の異なるサービスを提供し、当該異なるサービスは特定の関係にあるユーザーがアクセスして利用すべく提供される。特定関係記録ユニットは、当該特定関係を記録すべく提供される。デフォルト・テンプレートを用いて、異なる属性でアクセスできるサービスを記録する。比較ユニットを用いて、当該特定関係をデフォルト・テンプレートと比較する。推奨値生成ユニットを用いて、当該特定関係とデフォルト・テンプレートとの比較結果に基づいて、異なるサービスに対する各ユーザーのアクセス権の推奨値を生成する。
【０００９】
本発明のその他の特徴および利点は、添付の図面を参照しつつ、好適な実施形態の以下の詳細説明により明らかになろう。
【発明を実施するための最良の形態】
【００１０】
本発明についてより詳細に述べる前に、本開示全体を通じて同一要素には同一参照番号を付与している点に注意されたい。
【００１１】
図１を参照するに、特定の関係にあるユーザー９１、９２、９３のサービスへのアクセス権を設定するシステムの本発明による第一の好適な実施形態が機器１、特定関係記録ユニット３１、デフォルト・テンプレート４、比較ユニット３２、推奨値生成ユニット３３、推奨値調整ユニット３４、アクセス権設定ユニット３５、およびサーバー２を含む様子を示す。
【００１２】
機器１は、例えばテレビ、ＤＶＤプレーヤまたは冷蔵庫等、家庭の屋内環境に置かれ、サービス１１、サービス１２およびサービス１３等、複数の異なるサービスを提供することができる家電製品である。これらの異なるサービスは、特定の関係にある複数のユーザーがアクセスして利用することができる。例としてテレビ機器を取り上げる。このような異なるサービスは、特定の関係にある異なるユーザーに異なるチャンネルを提供する場合がある。すなわち、サービス１１、サービス１２およびサービス１３は各々視聴のためテレビ機器が提供する特定のチャンネル１、チャンネル２、およびチャンネル３を表わす場合がある。本発明を用いて、異なるユーザーに対し、機器が提供する異なるサービスに対するアクセス権を簡単な仕方で設定する。従って、より大きなアクセス権を有する家族（例えば成人）はより多くのテレビ・チャンネルを見ることができるのに対し、アクセス権が小さい家族（例えば子供）はより少ないテレビ・チャンネルしか見ることができない。
【００１３】
特定関係記録ユニット３１はサーバー２に配置されていてもよく、ユーザーの特定の関係を記録するために用いる。ユーザーの特定の関係は、本発明のシステムがインストールされる時点で、システムを販売している企業の技術者により、または家庭内の家電製品を管理する家族により特定関係記録ユニット３１へ入力されてよい。
【００１４】
デフォルト・テンプレート４は、異なる属性でアクセスできるサービスを記録するために用いるものであり、第一の好適な実施形態において、機器１の機器製造業者５により提供される。デフォルト・テンプレート４は、拡張可能マークアップ言語（ＸＭＬ）フォーマットであってよい。すなわち、デフォルト・テンプレート４が必要な場合、サーバー２が機器製造業者５に対し、デフォルト・テンプレート４を利用すべくダウンロードするリクエストを送信する。テレビ機器がサービス１１、１２（各々チャンネル１および２を表わす）を提供し、父親と子供の２人の家族がいる例において、デフォルト・テンプレート４を用いて父親がサービス１１および１２へのアクセス権を有するが、子供にはサービス１２へのアクセス権しか無いとのデフォルト情報を記録することができる。
【００１５】
比較ユニット３２はサーバー２に配置されていてもよく、ユーザーの特定の関係をデフォルト・テンプレート４と比較すべく用いられる。ユーザーの特定の関係、およびこれをデフォルト・テンプレート４と比較する処理について図５〜１２を参照しつつ以下に述べる。
【００１６】
推奨値生成ユニット３３はサーバー２内に配置されていてもよく、上述の特定の関係とデフォルト・テンプレート４との比較結果に基づいて、異なるサービスに対する各ユーザーのアクセス権の推奨値を生成すべく用いられる。
【００１７】
推奨値調整ユニット３４はサーバー２に配置されていてもよく、異なるサービスに対する各ユーザーの実際のアクセス権要件に従い推奨値を調整すべく用いられる。
【００１８】
アクセス権設定ユニット３５はサーバー２に配置されていてもよく、推奨値に基づいて異なるサービスに対する各ユーザーのアクセス権を設定すべく用いられる。
【００１９】
また、本発明のシステムは、ユーザーが機器１を操作するためのネットワーク機器またはモバイル機器（図示せず）を更に含んでいてよい。アクセス権設定ユニット３５は、ネットワーク機器またはモバイル機器を設定するために異なるサービスに対する各ユーザーのアクセス権に従いネットワーク機器またはモバイル機器に適切な承認（例えば証明書）を発行する。
【００２０】
従って、図１および図５〜１２を参照するに、本発明による、特定の関係にあるユーザーのサービスへのアクセス権を設定する方法が以下のステップを含むことを示す。最初に、ステップ６１で、異なるサービスを提供する機器１を提供し、ここで特定の関係にあるユーザーがアクセスして利用すべく異なるサービスが提供される。
【００２１】
特定関係テーブル７１を示す図６、および特定関係テーブル７２を示す図７を参照するに、ＴＶ１およびＴＶ２は、２人の異なる家族により管理される同一の２台の機器１（例えばテレビ）を表わす。第一のユーザー、第二のユーザーおよび第三のユーザーを有するＴＶ１の場合、第一のユーザーが管理者であり、第二のおよび第三のユーザーはそれぞれ第一のユーザーの息子と孫である。しかし、同じく第一のユーザー、第二のユーザーおよび第三のユーザーを有するＴＶ２の場合、第二のユーザーが管理者であり、第一および第三のユーザーはそれぞれ第二のユーザーの父親と息子である。
【００２２】
続いてステップ６２で、異なる属性でアクセスできるサービスを記録するデフォルト・テンプレート４が提供される。図８に示すデフォルト・テンプレート４は、図１に示すデフォルト・テンプレート４の例である。図８のデフォルト・テンプレート４は、ＴＶ１とＴＶ２に共通のデフォルト・テンプレート（ＴＶ１とＴＶ２は２人の異なる家族が管理する２台の同一機器１を表わすため、同一デフォルト・テンプレート４を有する）を記録する。図８に示すデフォルト・テンプレート４から、ユーザーの属性が管理者の祖父または父親である場合、そのようなユーザーが第一のサービスおよび第二のサービス（各々図１のサービス１１およびサービス１２に対応）にアクセスするデフォルト・アクセス権を有することは明らかである。これに対して、ユーザーの属性が管理者の息子または孫である場合、このようなユーザーは第二のサービスにアクセスするためのデフォルト・アクセス権しか有していない。
【００２３】
次いで、ステップ６３において、ユーザーの特定の関係がデフォルト・テンプレート４と比較される。ＴＶ１に関する第一のユーザー、第二のユーザー、および第三のユーザーのアクセス権の設定の観点から、ステップ６３で比較ユニット３２を用いて特定関係テーブル７１を図８のデフォルト・テンプレート４と比較することができる。このように、推奨値生成ユニット３３は、異なるサービスに対する各ユーザーのアクセス権の推奨値８１（図１０）を（手入力を必要とせずに）自動的に生成する。
【００２４】
しかし、第一のユーザー、第二のユーザーおよび第三のユーザーがＴＶ１へアクセスするための実際の要件は、本発明のシステムおよび方法を用いて生成された推奨値８１とは完全に一致しない場合があるため、ステップ６４で推奨値調整ユニット３４による実際のアクセス要件を参照する推奨値８１の調整を実行することができる。例えば、第一のユーザー、第二のユーザーおよび第三のユーザーの、ＴＶ機器が提供する第一のサービスおよび第二のサービスに関する実際のアクセス要件が、図９の実際の権限要件テーブル８０に示す通りである場合、第二のユーザーが第一のサービスにアクセスする権限を有するように実際の権利要件テーブル８０に従い推奨値８１を調整する必要があることは明らかである。これにより、後続の権限設定ステップ６５を実行するために修正推奨値８１１（図１１）を生成する。
【００２５】
第一のユーザー、第二のユーザー、および第三のユーザーのＴＶ２へのアクセス権に関して、ステップ６３で比較ユニット３２を用いて特定関係テーブル７２を図８のデフォルト・テンプレート４と比較することができる。次いで、推奨値生成ユニット３３は、異なるサービスに対する各ユーザーのアクセス権の推奨値８２（図１２）を自動的に生成する。推奨値８２と実際の権限要件テーブル８０との比較は、それらが完全に同一であり、推奨値８２の調整を実行する必要がないことを示す。このように、推奨値８２を直接用いて、後続の権限設定ステップ６５を実行することができる。
【００２６】
次いで、ステップ６５において、アクセス権設定ユニット３５を用いて、本発明のシステムにおいて推奨値（ＴＶ１用に修正された推奨値８１１またはＴＶ２用の推奨値８２）を設定することができる。設定のプロセスは、実際に実行している間に上述のネットワーク機器またはモバイル機器への適当な承認（例えば証明書）の発行を含んでいてよい。従って、ユーザーは（ネットワーク機器またはモバイル機器を含む）本システムで設定されたアクセス権情報に従い、ネットワーク機器またはモバイル機器を用いる機器１が提供する特定のサービスにアクセスすることができる。
【００２７】
従って、本発明を用いて、ユーザーが特定の関係にあり、かつ機器１（またはサービス）を時折接続したり切り離したりする必要がある環境（例えば家庭内ネットワーク）で権利設定を行なう場合、ユーザーの特定の関係が本発明で記録され、かつ推奨値が特定関係とデフォルト・テンプレート４の比較から（手入力を必要とせずに）自動的に生成されるため、サービスパラメータを設定するステップの数を大幅に減らすことができる。
【００２８】
図２〜４を参照するに、第一の好適な実施形態に加えて、本発明のシステムはまた他のモードでも実施することができる。図２に示す本発明のシステムの第二の好適な実施形態において、本システムの図１のサーバー２の構成が省かれていて、特定関係記録ユニット３１、比較ユニット３２、推奨値生成ユニット３３、推奨値調整ユニット３４、およびアクセス権設定ユニット３５は機器１に配置されている。さらに、デフォルト・テンプレート４は機器製造業者５から機器１へダウンロードされる。この方式でも本発明の目的を実現することができる。
【００２９】
図３Ａは本発明のシステムの第三の好適な実施形態を示すものであり、図３Ａに示すデフォルト・テンプレート４が機器１に直接埋め込まれている点が第一の好適な実施形態と異なる。
【００３０】
図３Ｂは本発明のシステムの第四の好適な実施形態を示すものであり、デフォルト・テンプレート４がサーバー２により提供される点が図３Ａに示す第三の好適な実施形態と異なる。
【００３１】
図４は本発明のシステムの第五の好適な実施形態を示すものであり、図４のデフォルト・テンプレート４が機器１に直接埋め込まれている点が図２に示す第二の好適な実施形態と異なる。
【００３２】
さらに、図１３を参照するに、図６および７に示すユーザーの特定関係テーブル７１、７２に加え、他の方式の特定関係テーブルを採用してもよい。図１３に示すように、特定関係テーブル７３に記録されているユーザーの特定な関係はユーザーの実際の属性であって、ユーザーと管理者との関係ではない。特定関係テーブル７３はまた、サービスアクセス権の設定を実行すべく用いることができ、従って本発明の目的を実現することができる。
【００３３】
上記に鑑みて、特定の関係にあるユーザーのサービスへのアクセス権を設定する方法およびシステムにおいて、ユーザー同士の特定の関係は記録されていて、特定の関係をデフォルト・テンプレート４と比較することにより推奨値が（手入力を必要とせずに）自動的に生成されるため、サービスパラメータを設定するステップの段数を大幅に減らすことができる。
【００３４】
本発明について、最も実際的かつ好適な実施形態と考えられるものに関連付けて述べてきたが、本発明は開示された実施形態に限定されず、最も広い解釈の精神と範囲に含まれる各種の構成を網羅することにより、その種のあらゆる変更や等価物も対象とするものである。
【図面の簡単な説明】
【００３５】
【図１】本発明による、特定の関係にあるユーザーのサービスへのアクセス権を設定するシステムの第一の好適な実施形態を示すシステム・ブロック図である。
【図２】本発明による、特定の関係にあるユーザーのサービスへのアクセス権を設定するシステムの第二の好適な実施形態を示すシステム・ブロック図である。
【図３Ａ】本発明による、特定の関係にあるユーザーのサービスへのアクセス権を設定するシステムの第三の好適な実施形態を示すシステム・ブロック図である。
【図３Ｂ】本発明による、特定の関係にあるユーザーのサービスへのアクセス権を設定するシステムの第四の好適な実施形態を示すシステム・ブロック図である。
【図４】本発明による、特定の関係にあるユーザーのサービスへのアクセス権を設定するシステムの第五の好適な実施形態を示すシステム・ブロック図である。
【図５】本発明による、特定の関係にあるユーザーのサービスへのアクセス権を設定する方法の好適な実施形態を示すフローチャートである。
【図６】機器（ＴＶ１）に関して、ユーザーの特定の関係を示す特定関係テーブルである。
【図７】別の機器（ＴＶ２）に関して、ユーザーの特定の関係を示す特定関係テーブルである。
【図８】ＴＶ機器のデフォルト・テンプレートを示すフォームである。
【図９】ＴＶ機器に対する異なるユーザーの実際のアクセス権要件を示すフォームである。
【図１０】本発明による、図６の特定関係と図８のデフォルト・テンプレートとの比較から得られたアクセス権の推奨値を示すフォームである。
【図１１】図９に示す実際のアクセス権要件に従い、図１０の推奨値を調整することにより得られた修正推奨値を示すフォームである。
【図１２】本発明による、図７の特定関係と図８のデフォルト・テンプレートとの比較から得られたアクセス権推奨値を示すフォームである。
【図１３】ユーザー相互の特定の関係がユーザーの実際の属性であることを示す特定関係テーブルである。
【符号の説明】
【００３６】
１  機器
１１  サービス
１２  サービス
１３  サービス
２  サーバー
３１  特定関係記録ユニット
３２  比較ユニット
３３  推奨値生成ユニット
３４  推奨値調整ユニット
３５  アクセス権設定ユニット
４  デフォルト・テンプレート
５  機器製造業者
７１  特定関係テーブル
７２  特定関係テーブル
７３  特定関係テーブル
８０  権限要件テーブル
８１  推奨値
８２  推奨値
８１１  修正推奨値
９１  ユーザー
９２  ユーザー
９３  ユーザー
【図１】
2006163697.tif 000003
【図２】
2006163697.tif 000004
【図３Ａ】
2006163697.tif 000005
【図３Ｂ】
2006163697.tif 000006
【図４】
2006163697.tif 000007
【図５】
2006163697.tif 000008
【図６】
2006163697.tif 000009
【図７】
2006163697.tif 000010
【図８】
2006163697.tif 000011
【図９】
2006163697.tif 000012
【図１０】
2006163697.tif 000013
【図１１】
2006163697.tif 000014
【図１２】
2006163697.tif 000015
【図１３】
2006163697.tif 000016